(57)【要約】【課題】一層快適な室内環境を居住者に提供できる小型空気調和機の制御装置、この小型空気調和機を備える住宅、および、小型空気調和機の制御方法を提供する。【解決手段】小型空気調和機１００の制御装置１０は非居室に設置される小型空気調和機１００をコントローラ６０の操作に応じて制御する制御部１３を備える。制御部１３はコントローラ６０により設定される小型空気調和機１００の動作モードがオフモードの場合、非居室の温度に応じて小型空気調和機１００の動作を自動的に制御する自動運転制御を実行する。【選択図】図３
2019184135.tif 000002
【特許請求の範囲】
【請求項１】
非居室に設置される小型空気調和機をコントローラの操作に応じて制御する制御部を備える小型空気調和機の制御装置であって、
前記制御部は前記コントローラにより設定される前記小型空気調和機の動作モードがオフモードの場合、前記非居室の温度に応じて前記小型空気調和機の動作を自動的に制御する自動運転制御を実行する
小型空気調和機の制御装置。
【請求項２】
前記自動運転制御では前記非居室の温度に応じて前記小型空気調和機の動作の開始および終了を自動的に切り換える
請求項１に記載の小型空気調和機の制御装置。
【請求項３】
前記自動運転制御では前記小型空気調和機の動作モードが前記オフモードに設定された状態で前記非居室の温度が第１所定範囲まで低下した場合、前記小型空気調和機の暖房運転を開始する
請求項２に記載の小型空気調和機の制御装置。
【請求項４】
前記自動運転制御では前記非居室の温度が前記第１所定範囲まで低下したか否かを第１所定時間毎に判定する
請求項３に記載の小型空気調和機の制御装置。
【請求項５】
前記自動運転制御では前記小型空気調和機の暖房運転中に前記非居室の温度が第２所定範囲まで上昇した場合、前記小型空気調和機の暖房運転を終了する
請求項３または４に記載の小型空気調和機の制御装置。
【請求項６】
前記自動運転制御では前記小型空気調和機の動作モードが前記オフモードに設定された状態で前記非居室の温度が第３所定範囲まで上昇した場合、前記小型空気調和機の冷房運転を開始する
請求項２〜５のいずれか一項に記載の小型空気調和機の制御装置。
【請求項７】
前記自動運転制御では前記非居室の温度が前記第３所定範囲まで上昇したか否かを第２所定時間毎に判定する
請求項６に記載の小型空気調和機の制御装置。
【請求項８】
前記自動運転制御では前記小型空気調和機の冷房運転中に前記非居室の温度が第４所定範囲まで低下した場合、前記小型空気調和機の冷房運転を終了する
請求項６または７に記載の小型空気調和機の制御装置。
【請求項９】
請求項１〜８のいずれか一項に記載の制御装置を含む小型空気調和機を備える住宅。
【請求項１０】
非居室に設置される小型空気調和機をコントローラの操作に応じて制御する小型空気調和機の制御方法であって、
前記コントローラにより設定される前記小型空気調和機の動作モードがオフモードの場合、前記非居室の温度に応じて前記小型空気調和機の動作を自動的に制御する
小型空気調和機の制御方法。
【発明の詳細な説明】
【技術分野】
【０００１】
本発明は小型空気調和機の制御装置、この小型空気調和機を備える住宅、および、小型空気調和機の制御方法に関する。
【背景技術】
【０００２】
非居室に設けられる空気調和機の制御装置が知られている。例えば、特許文献１は非居室の一例である洗面脱衣所(６)に設置される空調機(９)を制御する制御部(１０)を備える制御装置を開示している。制御部(１０)はリビング等の居室に設置されるエアコン(７)の設定温度よりも低い温度で空調機(９)を暖房運転する。
【先行技術文献】
【特許文献】
【０００３】
【特許文献１】特開２０１１−３８７０８号公報
【発明の概要】
【発明が解決しようとする課題】
【０００４】
非居室は設けられる位置、および、利用環境等によって特性が異なる。このため、個々の非居室の特性を考慮して非居室に設けられる空気調和機の動作を制御することにより、一層快適な室内環境を居住者に提供できると考えられる。
【課題を解決するための手段】
【０００５】
(１)本発明に関する小型空気調和機の制御装置は非居室に設置される小型空気調和機をコントローラの操作に応じて制御する制御部を備える小型空気調和機の制御装置であって、前記制御部は前記コントローラにより設定される前記小型空気調和機の動作モードがオフモードの場合、前記非居室の温度に応じて前記小型空気調和機の動作を自動的に制御する自動運転制御を実行する。
上記小型空気調和機の制御装置によれば、コントローラによって小型空気調和機の動作モードがオフモードに設定されている場合であっても、非居室の特性である非居室の温度に応じて、小型空気調和機の動作が自動的に制御されるため、一層快適な室内環境を居住者に提供できる。
【０００６】
(２)好ましい例では(１)に記載の小型空気調和機の制御装置において、前記自動運転制御では前記非居室の温度に応じて前記小型空気調和機の動作の開始および終了を自動的に切り換える。
このため、小型空気調和機の消費電力を低減できる。
【０００７】
(３)好ましい例では(２)に記載の小型空気調和機の制御装置において、前記自動運転制御では前記小型空気調和機の動作モードが前記オフモードに設定された状態で前記非居室の温度が第１所定範囲まで低下した場合、前記小型空気調和機の暖房運転を開始する。
非居室の温度が大きく低下しないため、居室で過ごしている居住者が非居室に移動した場合にヒートショックの発生が抑制される。
【０００８】
(４)好ましい例では(３)に記載の小型空気調和機の制御装置において、前記自動運転制御では前記非居室の温度が前記第１所定範囲まで低下したか否かを第１所定時間毎に判定する。
このため、非居室の温度が第１所定範囲まで低下した状態を好適に検出できる。
【０００９】
(５)好ましい例では(３)または(４)に記載の小型空気調和機の制御装置において、前記自動運転制御では前記小型空気調和機の暖房運転中に前記非居室の温度が第２所定範囲まで上昇した場合、前記小型空気調和機の暖房運転を終了する。
このため、小型空気調和機の消費電力を低減できる。
【００１０】
(６)好ましい例では(２)〜(５)のいずれか一項に記載の小型空気調和機の制御装置において、前記自動運転制御では前記小型空気調和機の動作モードが前記オフモードに設定された状態で前記非居室の温度が第３所定範囲まで上昇した場合、前記小型空気調和機の冷房運転を開始する。
非居室の温度が大きく上昇しないため、居室で過ごしている居住者が非居室に移動した場合に熱中症の発生が抑制される。
【００１１】
(７)好ましい例では(６)に記載の小型空気調和機の制御装置において、前記自動運転制御では前記非居室の温度が前記第３所定範囲まで上昇したか否かを第２所定時間毎に判定する。
このため、非居室の温度が第３所定範囲まで上昇した状態を好適に検出できる。
【００１２】
(８)好ましい例では(６)または(７)に記載の小型空気調和機の制御装置において、前記自動運転制御では前記小型空気調和機の冷房運転中に前記非居室の温度が第４所定範囲まで低下した場合、前記小型空気調和機の冷房運転を終了する。
このため、小型空気調和機の消費電力を低減できる。
【００１３】
(９)本発明に関する住宅は、上記(１)〜(８)のいずれか一項に記載の制御装置を含む小型空気調和機を備える。
上記住宅によれば、上記(１)に記載の小型空気調和機の制御装置により得られる効果と同様の効果が得られる。
【００１４】
(１０)本発明に関する小型空気調和機の制御方法は、非居室に設置される小型空気調和機をコントローラの操作に応じて制御する小型空気調和機の制御方法であって、前記コントローラにより設定される前記小型空気調和機の動作モードがオフモードの場合、前記非居室の温度に応じて前記小型空気調和機の動作を自動的に制御する。
上記制御方法によれば、上記(１)に記載の小型空気調和機の制御装置により得られる効果と同様の効果が得られる。
【発明の効果】
【００１５】
本発明に関する小型空気調和機の制御装置、この小型空気調和機を備える住宅、および、小型空気調和機の制御方法によれば、一層快適な室内環境を居住者に提供できる。
【図面の簡単な説明】
【００１６】
【図１】実施形態の制御装置を含む小型空気調和機を備える住宅の非居室の斜視図。
【図２】図１の小型空気調和機の室内機および室外機の冷媒回路を示す回路図。
【図３】図１の小型空気調和機の電気的構成を示すブロック図。
【図４】自動暖房運転モードが選択されている場合の自動運転制御の処理手順の一例を示すフローチャート。
【図５】自動冷房運転モードが選択されている場合の自動運転制御の処理手順の一例を示すフローチャート。
【図６】自動暖房運転モードが選択されている場合の自動運転制御の一例を示すタイミングチャート。
【図７】自動冷房運転モードが選択されている場合の自動運転制御の一例を示すタイミングチャート。
【発明を実施するための形態】
【００１７】
図１を参照して、小型空気調和機１００が設置される住宅２００について説明する。住宅２００の一例は個別住宅または集合住宅である。一例では、住宅２００は複数の階を含む個別住宅である。住宅２００は複数の居室、および、複数の非居室２１０を備える。居室は居住者が主として利用する室である。居室の具体的な例としては、リビング、ダイニング、リビングダイニング、寝室、応接室、および、書斎が挙げられる。非居室２１０は居住者が一時的な活動のために利用する室である。非居室の具体的な例としては、洗面所、脱衣所、浴室、トイレ、廊下、キッチン、ウォークインクローゼット、および、物置が挙げられる。図１は非居室２１０の一例としての洗面所の斜視図である。
【００１８】
非居室２１０は居住者が一時的にのみ利用するため、コスト等の観点から、一般的には空気調和機が設置されないケースが多い。一方、居室の温度と非居室の温度との差が大きい場合、居室から非居室に移動した居住者が不快感を覚える恐れがあるため、例えば、先行技術文献等に記載されるように、非居室にも空気調和機を設置するケースも存在する。ただし、非居室は居室よりもスペースが狭いため、居室用に設計された空気調和機を非居室に設置することはできない、または、設置できた場合であっても非居室を利用する居住者に圧迫感を与える恐れがある。小型空気調和機１００は非居室を利用する居住者に圧迫感を与えないように設計された小型の空気調和機である。
【００１９】
図１に示されるように、小型空気調和機１００は非居室２１０に設置される室内機２０を備える。室内機２０は居室用に設計された空気調和機よりも小能力であり、一例では、定格能力が１ｋｗ未満の室内機である。非居室２１０における室内機２０の設置箇所は任意に選択可能である。図１に示される第１例では、室内機２０は非居室２１０の天井２１０Ａに一部が埋め込まれるように設置される。第２例では、室内機２０は非居室２１０の壁２１０Ｂまたは床(図示略)に設置される。
【００２０】
図２に示されるように、小型空気調和機１００は室外機３０および制御装置１０をさらに備える。室外機３０は屋外に設置される。室外機３０と１または複数の室内機２０とが冷媒配管４０によって接続されることにより冷媒回路５０が形成される。なお、図２では、室外機３０と３つの室内機２０とが接続される例を示している。室外機３０と複数の室内機２０とが接続される場合、複数の室内機２０はそれぞれ異なる非居室２１０に設けられる。制御装置１０は室内機２０を制御する室内制御装置１１、および、室外機３０を制御する室外制御装置１２を備える。
【００２１】
室外機３０を構成する主な要素は圧縮機３１、四路切換弁３２、室外熱交換器３３、膨張弁３４、室外ファン３５、室外熱交換器温度センサ３６、および、外気温度センサ３７である。
【００２２】
圧縮機３１は例えば揺動ピストン型の圧縮機であり、圧縮機構、モータ、および、モータの駆動力を圧縮機構に伝達するクランク軸等を備える。モータの一例は、３相ブラシレスモータである。室外熱交換器３３は、外気と冷媒とを熱交換する。室外熱交換器３３の一例は、フィンアンドチューブ熱交換器である。膨張弁３４は、例えば電子膨張弁である。室外ファン３５は、駆動源として回転数を変更可能なモータ、および、モータの出力軸に接続された羽根車とを有する。羽根車の一例はプロペラファンである。室外ファン３５は、モータによって羽根車を回転させることによって、室外熱交換器３３を通過する室外空気の気流を発生させる。室外熱交換器温度センサ３６は、室外熱交換器３３の温度を検出する。外気温度センサ３７は外気の温度を検出する。
【００２３】
図３に示されるように、室外制御装置１２は圧縮機３１のモータ、四路切換弁３２、膨張弁３４、室外ファン３５のモータ、室外熱交換器温度センサ３６、および、外気温度センサ３７と電気的に接続されている。室外熱交換器温度センサ３６により検出された室外熱交換器の温度、および、外気温度センサ３７により検出された外気の温度は室外制御装置１２に入力される。室外制御装置１２は圧縮機３１のモータ、四路切換弁３２、膨張弁３４、および、室外ファン３５のモータに制御信号を出力する。
【００２４】
室内機２０を構成する主な要素は室内熱交換器２１、室内ファン２２、室内熱交換器温度センサ２３、および、室内温度センサ２４である。室内熱交換器２１は、室内空気と冷媒とを熱交換する。室内熱交換器２１は例えばフィンアンドチューブ熱交換器である。室内ファン２２は駆動源として回転数を変更可能なモータと、モータの出力軸に接続された羽根車とを有する。室内ファン２２の一例は、小型のターボファンである。室内ファン２２は室内熱交換器２１の伝熱管を流れる冷媒と室内空気との熱交換を促進するため、モータによって羽根車を回転させることによって、室内熱交換器２１を通過する室内空気の気流を発生させる。室内熱交換器温度センサ２３は室内熱交換器２１の温度を検出する。室内温度センサ２４は室内温度を検出する。
【００２５】
図３に示されるように、室内制御装置１１は、室内ファン２２、室内熱交換器温度センサ２３、および、室内温度センサ２４と電気的に接続されている。室内熱交換器温度センサ２３によって検出された室内熱交換器の温度、および、室内温度センサ２４により検出された室内の温度は室内制御装置１１に入力される。室内制御装置１１は室内ファン２２のモータに制御信号を出力する。
【００２６】
図２に示される冷媒回路５０は圧縮機３１、四路切換弁３２、室外熱交換器３３、および、膨張弁３４と、室内熱交換器２１と、アキュムレータ３１Ａとを冷媒配管４０によって環状に接続したものである。四路切換弁３２が切り換えられることにより、冷媒回路５０は冷媒を可逆的に循環させるようにした蒸気圧縮式冷凍サイクルを実行する。
【００２７】
四路切換弁３２が冷房モード接続状態(図２の実線の状態)に切り換えられることにより、冷媒回路５０は圧縮機３１、四路切換弁３２、室外熱交換器３３、膨張弁３４、室内熱交換器２１、四路切換弁３２、アキュムレータ３１Ａ、および、圧縮機３１の順に冷媒が循環する冷房サイクルが形成される。これにより、小型空気調和機１００では、室外熱交換器３３が凝縮器として作用し、室内熱交換器２１が蒸発器として作用する冷房運転が行われる。一方、四路切換弁３２が暖房モード接続状態(図２の破線の状態)に切り換えられることにより、冷媒回路５０はアキュムレータ３１Ａ、圧縮機３１、四路切換弁３２、室内熱交換器２１、膨張弁３４、室外熱交換器３３、四路切換弁３２、および、圧縮機３１の順に冷媒が循環する暖房サイクルが形成される。これにより、小型空気調和機１００では、室内熱交換器２１が凝縮器として作用し、室外熱交換器３３が蒸発器として作用する暖房運転が行われる。
【００２８】
図３に示される室内制御装置１１および室外制御装置１２は予め定められる制御プログラムを実行する演算処理装置、ならびに、制御プログラムおよび各種の制御処理に用いられる情報等が記憶される記憶部を含む。演算処理装置は例えばＣＰＵ(Central Processing Unit)またはＭＰＵ(Micro Processing Unit)を含む。記憶部は、例えば不揮発性メモリ及び揮発性メモリを含む。室内制御装置１１は記憶部に記憶される制御プログラムが実行されることにより構築される機能ブロックとしての制御部１３を含む。制御部１３は室内制御部１３Ａおよび室外制御部１３Ｂを含む。
【００２９】
室内制御装置１１には、コントローラ６０および外部機器７０が通信可能に接続されている。コントローラ６０は例えばリモートコントローラである。外部機器７０は居住者が所有するスマートデバイスまたはパーソナルコンピュータである。スマートデバイスの一例はタブレットおよびスマートフォンである。
【００３０】
室内制御装置１１はコントローラ６０および外部機器７０と無線通信できるように構成される。コントローラ６０は小型空気調和機１００の運転モードを選択する信号、運転を開始する信号、および、運転を停止する信号を室内制御装置１１に出力する。コントローラ６０により選択される小型空気調和機１００の運転モードはオフモード、通常冷房運転モード、および、通常暖房運転モードを含む。オフモードは小型空気調和機１００の運転を停止するモードである。通常冷房運転モードは非居室の温度が居住者により設定された温度となるように小型空気調和機１００を冷房運転するモードである。通常暖房運転モードは非居室の温度が居住者により設定された温度となるように小型空気調和機１００を暖房運転するモードである。
【００３１】
外部機器７０により選択される小型空気調和機１００の運転モードは自動運転モードを含む。自動運転モードはコントローラ６０により設定される小型空気調和機１００の動作モードがオフモードの場合、非居室２１０の温度に応じて小型空気調和機１００の動作を自動的に制御するモードである。室内制御装置１１は外部機器７０から送信される所定のパスワードが入力されることにより自動運転モードを選択できるように構成される。室内制御装置１１はコントローラ６０から送信される信号によっては、自動運転モードは選択できないように構成される。自動運転モードは自動暖房運転モードおよび自動冷房運転モードを含む。自動暖房運転モードは居室から非居室に移動した居住者がヒートショックを起こさないように、非居室の温度に応じて小型空気調和機１００を制御するモードである。自動暖房運転モードは主に冬に設定される。自動冷房運転モードは居室から非居室に移動した居住者が熱中症を発症しないように、非居室の温度に応じて小型空気調和機１００の動作を制御するモードである。自動冷房運転モードは主に夏に設定される。小型空気調和機１００が複数の室内機２０を備える場合、自動暖房運転モードおよび自動冷房運転モードのオンオフは室内機２０毎に個別に設定可能である。
【００３２】
室内制御装置１１と室外制御装置１２とは電気的に接続されている。このため、室内制御装置１１はコントローラ６０および外部機器７０から受信した小型空気調和機１００の動作に関する信号と、室内の温度と、室内熱交換器の温度とが入力されるとともに、これらの情報を室外制御装置１２に出力する。室外制御装置１２は、外気の温度、および、室外熱交換器の温度が入力されるとともに、これらの情報を室内制御装置１１に出力する。
【００３３】
外部機器７０により自動運転モードが選択された場合、制御部１３は自動運転制御を実行する。制御部１３は自動運転制御において、非居室２１０の温度に応じて小型空気調和機１００の動作の開始および終了を自動的に切り換える。このため、小型空気調和機１００の消費電力を低減できる。自動暖房運転モードが選択されている場合、制御部１３は自動運転制御において、小型空気調和機１００の動作モードがオフモードに設定された状態で非居室２１０の温度が第１所定範囲まで低下した場合、小型空気調和機１００の暖房運転を開始する。第１所定範囲は居室から非居室に移動した居住者がヒートショックを起こさないように決められる暖房下限温度ＴＡ以下の温度範囲である。非居室２１０の温度が大きく低下しないため、居室で過ごしている居住者が非居室２１０に移動した場合にヒートショックの発生が抑制される。暖房下限温度ＴＡの一例は１０℃〜１６℃である。
【００３４】
自動暖房運転モードが選択されている場合、制御部１３は自動運転制御において、非居室２１０の温度が第１所定範囲まで低下したか否かを第１所定時間毎に判定する。第１所定時間は出荷段階で予め設定される時間であり、例えば１時間である。第１所定時間は居住者が任意に設定可能とすることもできる。制御部１３は第１所定時間毎の非居室２１０の温度の判定において、室内ファン２２を駆動させて非居室２１０の空気を攪拌する室温検出運転を実行する。このため、非居室２１０の温度が第１所定範囲まで低下した状態を好適に検出できる。
【００３５】
自動暖房運転モードが選択されている場合、制御部１３は自動運転制御において、小型空気調和機１００の暖房運転中に非居室２１０の温度が第２所定範囲まで上昇した場合、小型空気調和機１００の暖房運転を終了する。第２所定範囲は省エネの観点から決められる暖房上限温度ＴＢ以上の温度範囲である。このため、小型空気調和機１００の消費電力を低減できる。暖房上限温度ＴＢは暖房下限温度ＴＡよりも高い温度である。暖房上限温度ＴＢの一例は１２℃〜１８℃である。
【００３６】
自動冷房運転モードが選択されている場合、制御部１３は自動運転制御において、小型空気調和機１００の動作モードがオフモードに設定された状態で非居室２１０の温度が第３所定範囲まで上昇した場合、小型空気調和機１００の冷房運転を開始する。第３所定範囲は居室から非居室に移動した居住者が熱中症を発症しないように決められる冷房上限温度ＴＣ以上の温度範囲である。非居室２１０の温度が大きく上昇しないため、居室で過ごしている居住者が非居室に移動した場合に熱中症の発生が抑制される。冷房上限温度ＴＣの一例は２８℃〜３２℃である。
【００３７】
自動冷房運転モードが選択されている場合、制御部１３は自動運転制御において、非居室２１０の温度が第３所定範囲まで上昇したか否かを第２所定時間毎に判定する。第２所定時間は出荷段階で予め設定される時間であり、例えば１時間である。第２所定時間は居住者が任意に設定可能とすることもできる。制御部１３は第２所定時間毎の非居室２１０の温度の判定において、室温検出運転を実行する。このため、非居室２１０の温度が第３所定範囲まで上昇した状態を好適に検出できる。
【００３８】
自動冷房運転モードが選択されている場合、制御部１３は自動運転制御において、小型空気調和機１００の冷房運転中に非居室の温度が第４所定範囲まで低下した場合、小型空気調和機の冷房運転を終了する。第４所定範囲は省エネの観点から決められる冷房下限温度ＴＤ以下の温度範囲である。このため、小型空気調和機１００の消費電力を低減できる。冷房下限温度ＴＤは冷房上限温度ＴＣよりも低い温度である。冷房下限温度ＴＤの一例は２６℃〜３０℃である。なお、暖房下限温度ＴＡ、暖房上限温度ＴＢ、冷房上限温度ＴＣ、および、冷房下限温度ＴＤは居住者が任意に設定可能である。小型空気調和機１００が複数の室内機２０を備える場合、暖房下限温度ＴＡ、暖房上限温度ＴＢ、冷房上限温度ＴＣ、および、冷房下限温度ＴＤは室内機２０毎に個別に設定可能である。
【００３９】
図４を参照して、自動暖房運転モードが選択されている場合の自動運転制御の処理手順の一例について説明する。自動運転制御は小型空気調和機１００の運転モードが通常暖房運転モードからオフモードに切り換わったことによって開始される。自動運転制御は小型空気調和機１００の運転モードがオフモードから通常暖房運転モードに切り換わったことによって終了される。
【００４０】
ステップＳ１１では、制御部１３は室温検出運転を実行する。ステップＳ１２では、制御部１３は室内温度センサ２４の出力に基づいて非居室２１０の温度を検出する。
【００４１】
ステップＳ１３では、制御部１３は非居室２１０の温度が第１所定範囲に含まれるか否かを判定する。ステップＳ１３が肯定判定の場合、すなわち、非居室２１０の温度が暖房下限温度ＴＡ未満の温度まで低下している場合、制御部１３はステップＳ１４の処理を実行する。ステップＳ１４では、制御部１３は暖房運転を開始する。
【００４２】
ステップＳ１５では、制御部１３は非居室２１０の温度が第２所定範囲に含まれるか否かを判定する。ステップＳ１５が肯定判定の場合、すなわち、非居室２１０の温度が暖房上限温度ＴＢ以上の温度まで上昇している場合、ステップＳ１６の処理を実行する。ステップＳ１５が否定判定の場合、すなわち、非居室２１０の温度が暖房上限温度ＴＢ未満の温度である場合、制御部１３はステップＳ１５の判定処理を再び実行する。ステップＳ１６では、制御部１３は暖房運転を終了する。
【００４３】
ステップＳ１３が否定判定の場合、すなわち、非居室２１０の温度が暖房下限温度ＴＡ超の温度である場合、制御部１３はステップＳ１７の処理を実行する。ステップＳ１７では、制御部１３はステップＳ１２を実行してから第１所定時間が経過したか否かを判定する。ステップＳ１７が肯定判定の場合、制御部１３はステップＳ１１を実行する。ステップＳ１７が否定判定の場合、制御部１３はステップＳ１７の判定処理を再び実行する。
【００４４】
図５を参照して、自動冷房運転モードが選択されている場合の自動運転制御の処理手順の一例について説明する。自動運転制御は小型空気調和機１００の運転モードが通常冷房運転モードからオフモードに切り換わったことによって開始される。自動運転制御は小型空気調和機１００の運転モードがオフモードから通常冷房運転モードに切り換わったことによって終了される。
【００４５】
ステップＳ２１では、制御部１３は室温検出運転を実行する。ステップＳ２２では、制御部１３は室内温度センサ２４の出力に基づいて非居室２１０の温度を検出する。
【００４６】
ステップＳ２３では、制御部１３は非居室２１０の温度が第３所定範囲に含まれるか否かを判定する。ステップＳ２３が肯定判定の場合、すなわち、非居室２１０の温度が冷房上限温度ＴＣ以上の温度まで上昇している場合、制御部１３はステップＳ２４の処理を実行する。ステップＳ２４では、制御部１３は冷房運転を開始する。
【００４７】
ステップＳ２５では、制御部１３は非居室２１０の温度が第４所定範囲に含まれるか否かを判定する。ステップＳ２５が肯定判定の場合、すなわち、非居室２１０の温度が冷房下限温度ＴＤ以下の温度まで低下している場合、ステップＳ２６の処理を実行する。ステップＳ２５が否定判定の場合、すなわち、非居室２１０の温度が冷房下限温度ＴＤ超の温度である場合、制御部１３はステップＳ２５の判定処理を再び実行する。ステップＳ２６では、制御部１３は冷房運転を終了する。
【００４８】
ステップＳ２３が否定判定の場合、すなわち、非居室２１０の温度が冷房上限温度ＴＣ未満の温度である場合、制御部１３はステップＳ２７の処理を実行する。ステップＳ２７では、制御部１３はステップＳ２２を実行してから第２所定時間が経過したか否かを判定する。ステップＳ２７が肯定判定の場合、制御部１３はステップＳ２１を実行する。ステップＳ２７が否定判定の場合、制御部１３はステップＳ２７の判定処理を再び実行する。
【００４９】
図６は自動暖房運転モードが選択されている場合の自動運転制御に関するタイミングチャートの一例である。時刻ｔ６１において、小型空気調和機１００の運転モードが通常暖房運転モードからオフモードに切り換わった場合、制御部１３は室温検出運転を開始する。時刻ｔ６１においては、非居室２１０の温度が暖房下限温度ＴＡ以上の温度であるため、制御部１３は暖房運転が停止されている状態を維持する。制御部１３は時刻ｔ６２において、室温検出運転を終了する。
【００５０】
時刻ｔ６２から第１所定時間が経過した時刻ｔ６３において、制御部１３は再び室温検出運転を開始する。時刻ｔ６３においては、非居室２１０の温度が暖房下限温度ＴＡ以下の温度まで低下している、すなわち、非居室２１０の温度が第１所定範囲に含まれるため、制御部１３は暖房運転を開始する。
【００５１】
時刻ｔ６４においては、非居室２１０の温度が暖房上限温度ＴＢ以上の温度まで上昇している、すなわち、非居室２１０の温度が第２所定範囲に含まれるため、制御部１３は暖房運転を終了する。時刻ｔ６４以降、時刻ｔ６１〜時刻ｔ６４に対応する処理が繰り返し実行される。
【００５２】
図７は自動冷房運転モードが選択されている場合の自動運転制御に関するタイミングチャートの一例である。時刻ｔ７１において、小型空気調和機１００の運転モードが通常冷房運転モードからオフモードに切り換わった場合、制御部１３は室温検出運転を開始する。時刻ｔ７１においては、非居室２１０の温度が冷房上限温度ＴＣ以下の温度であるため、制御部１３は冷房運転が停止されている状態を維持する。制御部１３は時刻ｔ７２において、室温検出運転を終了する。
【００５３】
時刻ｔ７２から第２所定時間が経過した時刻ｔ７３において、制御部１３は再び室温検出運転を開始する。時刻ｔ７３においては、非居室２１０の温度が冷房上限温度ＴＣ以上の温度まで上昇している、すなわち、非居室２１０の温度が第３所定範囲に含まれるため、制御部１３は冷房運転を開始する。
【００５４】
時刻ｔ７４においては、非居室２１０の温度が冷房下限温度ＴＤ以下の温度まで低下している、すなわち、非居室２１０の温度が第４所定範囲に含まれるため、制御部１３は冷房運転を停止する。時刻ｔ７４以降、時刻ｔ７１〜時刻ｔ７４に対応する処理が繰り返し実行される。
【００５５】
小型空気調和機１００の制御装置１０によれば、次のような作用および効果が得られる。コントローラ６０によって小型空気調和機１００の動作モードがオフモードに設定されている場合であっても、非居室２１０の特性である非居室２１０の温度に応じて小型空気調和機１００の動作が自動的に制御されるため、一層快適な室内環境を居住者に提供できる。
【００５６】
(変形例)
上記実施形態は本発明に関する小型空気調和機の制御装置、この小型空気調和機を備える住宅、および、小型空気調和機の制御方法が取り得る形態の例示であり、その形態を制限することを意図していない。本発明に関する小型空気調和機の制御装置、この小型空気調和機を備える住宅、および、小型空気調和機の制御方法は実施形態に例示された形態とは異なる形態を取り得る。その一例は、実施形態の構成の一部を置換、変更、もしくは、省略した形態、または、実施形態に新たな構成を付加した形態である。
【００５７】
・自動暖房運転モードまたは自動冷房運転モードのオンオフの切り換え方は任意に変更可能である。一例では、自動暖房運転モードまたは自動冷房運転モードがオンに設定されてから所定の期間が経過した場合に、自動暖房運転モードまたは自動冷房運転モードが自動的にオフに設定される。
【符号の説明】
【００５８】
１０  ：制御装置
１３  ：制御部
１００：小型空気調和機
１５０：コントローラ
２００：住宅
２１０：非居室
【図１】
2019184135.tif 000003
【図２】
2019184135.tif 000004
【図３】
2019184135.tif 000005
【図４】
2019184135.tif 000006
【図５】
2019184135.tif 000007
【図６】
2019184135.tif 000008
【図７】
2019184135.tif 000009
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
非居室に設置される小型空気調和機をコントローラの操作に応じて制御する制御部を備える小型空気調和機の制御装置であって、
前記制御部は前記コントローラにより設定される前記小型空気調和機の動作モードがオフモードの場合、前記非居室の温度が、居室から前記非居室に移動した居住者のヒートショックまたは熱中症の発症の抑制の観点に基づいて設定される上限温度および下限温度を含む所定の温度範囲に含まれるように、前記非居室の温度に応じて前記小型空気調和機の動作を自動的に制御する自動運転制御を実行する
小型空気調和機の制御装置。
【請求項２】
前記自動運転制御では前記非居室の温度に応じて前記小型空気調和機の動作の開始および終了を自動的に切り換える
請求項１に記載の小型空気調和機の制御装置。
【請求項３】
前記自動運転制御では前記小型空気調和機の動作モードが前記オフモードに設定された状態で前記非居室の温度が第１所定範囲まで低下した場合、前記小型空気調和機の暖房運転を開始する
請求項２に記載の小型空気調和機の制御装置。
【請求項４】
前記自動運転制御では前記非居室の温度が前記第１所定範囲まで低下したか否かを第１所定時間毎に判定する
請求項３に記載の小型空気調和機の制御装置。
【請求項５】
前記自動運転制御では前記小型空気調和機の暖房運転中に前記非居室の温度が第２所定範囲まで上昇した場合、前記小型空気調和機の暖房運転を終了する
請求項３または４に記載の小型空気調和機の制御装置。
【請求項６】
前記自動運転制御では前記小型空気調和機の動作モードが前記オフモードに設定された状態で前記非居室の温度が第３所定範囲まで上昇した場合、前記小型空気調和機の冷房運転を開始する
請求項２〜５のいずれか一項に記載の小型空気調和機の制御装置。
【請求項７】
前記自動運転制御では前記非居室の温度が前記第３所定範囲まで上昇したか否かを第２所定時間毎に判定する
請求項６に記載の小型空気調和機の制御装置。
【請求項８】
前記自動運転制御では前記小型空気調和機の冷房運転中に前記非居室の温度が第４所定範囲まで低下した場合、前記小型空気調和機の冷房運転を終了する
請求項６または７に記載の小型空気調和機の制御装置。
【請求項９】
請求項１〜８のいずれか一項に記載の制御装置を含む小型空気調和機を備える住宅。
【請求項１０】
非居室に設置される小型空気調和機をコントローラの操作に応じて制御する小型空気調和機の制御方法であって、
前記コントローラにより設定される前記小型空気調和機の動作モードがオフモードの場合、前記非居室の温度が、居室から前記非居室に移動した居住者のヒートショックまたは熱中症の発症の抑制の観点に基づいて設定される上限温度および下限温度を含む所定の温度範囲に含まれるように、前記非居室の温度に応じて前記小型空気調和機の動作を自動的に制御する
小型空気調和機の制御方法。